(57)【要約】【課題】  撮像部で昼夜間車両の監視を行ない、悪戯や石跳ねによるガラスの損傷など車両に異常があれば、発生時の状態を記録して、状況証拠を残す為の記録部分とを車両に搭載するシステムを提供する。【解決手段】  撮像部は昼夜間問わずに撮影できるようナイトセンサーを含む。夜間投受光用の機器とフィルターを含む。記録部分は記録媒体と接触センサーと記録時間制限用部分をさらに含む。【選択図】      図１
2006088879.tif 000002
【特許請求の範囲】
【請求項１】
車両に搭載して、車体に接触する不審者の映像と状況を収録し、任意の時間がくれば自動的に撮像・記録を停止させる機能を併せ持ち、エンジンが動いている時には撮像・状況記録を撮り続ける機能と、夜間撮影も可能な撮像部付きカメラと音収録の機能が含まれている車両用セキュリティーレコーダ。
【発明の詳細な説明】
【技術分野】
【０００１】
本発明は、車両の防犯システム に関し、特に、車両に搭載して撮像部で昼夜間の映像を時間制限付きで撮像し、撮像した映像を記憶する記録機器 、撮像した画像より悪戯などを行った車両の周辺記録を撮り防犯するシステム、および撮像時以外のバッテリー消耗等を軽減するシステムに関する。
【背景技術】
【０００２】
現行にて、車両防犯用の警報機や持ち主に通報する機器は、複数実用化され市販されてはいるが、その何れもが誰かが現場に居合わせないと証拠不十分として犯罪としては取り扱われなかった。悪戯されると現場を発見できない場合が多く、本発明ではその状況を記録するものである。
【０００３】
普通のハンディーカメラを利用して、車両への悪戯の状況を記録し犯人特定した事例もあり、また車庫用の防犯カメラも実現はしているが、近年の駐車場は、持ち主が住んでいる場所から離れている場合も多く、また建物の陰になっていたる場合もあり、容易に同じ状況を作ることが出来ない。
本機器を利用することで、持ち主は普段防犯を気にすることなく、悪戯が発生した場合、車に備え付けられた記録を見直すことが容易に出来る。
【０００４】
また、夜間車の持ち主が離れたところにいる場合など、次の朝状況に気づくことも考えられ、撮像部分には夜間撮像用の機能が必要である。
【発明の開示】
【発明が解決しようとする課題】
【０００５】
車両のバッテリーが消耗してしまう為、現場の状況のみを記録する上で不要な記録時間を制限する必要がある。例えば、撮影したままでは余計な記録まで撮らなくてはいけないので、記録媒体への負荷も考えられる。
【０００６】
車両に触れた場合に、記録を開始することと記録時間を任意に設定できるようにすることで、それまでの不要な撮像時間を無くし、バッテリーや媒体部分への負荷を軽減する。
【０００７】
駐車状況により撮像機器の位置が設定された場合は、記録を撮れない場合もあり、映像記録が残らない場合もある。
【０００８】
撮像部分と記録部分は分離させて、持ち主が現場状況に合わせて撮像方向を決め、撮像部を車両内部なら任意に取り付けられるようにする必要がある。
【０００９】
本発明では撮像部を記録部分と分離して、車体内なら自由に持ち主が取り付けられるようにすることで、車の部位を問わず状況に合った現場記録を残せることができる防犯用記録機器を提供することである。
【００１０】
車両に近づく不審者の容姿を記録に残すことで、暗闇でも不審者の容姿を捕らえなければいけない。
【００１１】
本発明は、上述の解決するためになされたもので、夜間用に投光器と別に受光フィルターを撮像部に組み込む必要(又は、解像度を変更できる)がある。このことにより、昼夜問わずに周囲の状況を撮像することができる機器を提供する。
【００１２】
本発明のさらに他の目的は、駐車中の車両に不審者が近づいた場合、不審者の行動を記録し、撮像された状況を記録部分で保持し、状況証拠を残すことができる機器を提供することである。
【００１３】
本発明のさらに他の目的は、撮像時間を制約し、不審者の行動のみを記録に残す機器を提供することである。
【００１４】
本発明のさらに他の目的は、走行中でも石跳ね等の被害を受ける場合もあり、その記録を残せるようにする防犯機器を提供することである。
【課題を解決するための手段】
【００１５】
請求項１に記載の発明に係る機器は、映像を記録する記録媒体と記録時間を制限する装置とを含む。
【００１６】
請求項１に記載の発明に係る機器は、撮像部と暗闇でも撮像可能な機器を含む。
【００１７】
請求項１に記載の発明によると、車に接触するものがあれば記録機能を起動して、カメラとスピーカから入手した映像を記録媒体に収録する。このため、車への悪戯などが起こった場合、媒体に状況記録が残り、不審者を特定することができる。
【００１８】
請求項１に記載の発明は、請求項１に記載の発明の構成に加えて、夜間撮影・記録を可能にする手段をさらに含み、記録機器は、映像に加え音源の収録機器と接続され、昼夜間問わずに車両周囲の状況を記録する機器を含む。
【発明の効果】
【００１９】
車自体に、専用の防犯機器を取り付けること自体は以前から行われてきたが、効果が微妙で誤報などもあるが、警報を発するタイプとは違い事後に持ち主が判断する防犯機器となる。
【発明を実施するための最良の形態】
【００２０】
以下、図面を参照しつつ、本発明の実施の形態に係るセキュリティーレコーダについて説明する。
【００２１】
本発明の実施の形態に係る防犯機能は、不審者が車体に触れると、接触センサーから信号出力され、収録開始用のSW基盤を得て、カメラとそれに含まれるマイクによる出力を記憶機器に収録される。また、SW基盤には、タイマー機能により予め設定した時間になると、収録OFF信号により記録を停止する。再度、車体に接触があった場合は、タイマーがリセットされ収録を続ける。
【００２２】
上述のように本実施の形態に係る防犯機能によると、カメラとマイクで車体内外の状況を撮像・収音し、撮像された記録を見直すことで、車体に近づく不審者を特定することができる。これにより、事後の対応ができる当機器を使用していることで、車の持ち主は再発を防ぐ防犯機能を持つことができる。
【実施例１】
【００２３】
図１は、本発明装置の１実施例の全体図であって、１は、カメラ・マイク、２は、記憶部、３は接触センサー、４は、録画のＯＮ／ＯＦＦ用のＳＷ基盤である。
【００２４】
３接触センサーから、車体に不審者からの接触を検出した場合、４タイマー付きＳＷ基盤がタイマーリセットした後、任意の時間をカウントし始める。
【００２５】
タイマーカウントと同時に録画ＳＷ／ＯＮ信号を２記録部に送信して録画部の電源と記録機能に信号が入り録画が開始される。
【００２６】
２記録部の電源から、１カメラ・マイク部への電源も同時に入り、夜間撮影機能の要・非が１カメラ部の感光機能からＯＮ／ＯＦＦ信号が発し、夜間機能とカメラ・マイクを動作させる。
【００２７】
１カメラとマイクから２記録部での収録が開始されると、４タイマー機能の任意の時間設定にカウントが消費されるまで、収録ＯＦＦ信号が停止する。
【００２８】
また、カウント消費途中で再度接触があった場合は、その時点で４タイマーのカウントがリセットされ、収録を継続する。
【００２９】
また、車のエンジンを動かしている（又は、キーをイグニッション位置にしてある）場合は、車のアクセサリーラインからの信号を受けて、４タイマー付きＳＷ基盤が収録信号ＯＮの信号をタイマーカウント無しで出力する。
【図面の簡単な説明】
【００３０】
【図１】車両用セキュリティーレコーダの実施方法を示した説明図である。（実施例１）
【図２】フローチャートは、動作状態を簡単に説明したものである。
【符号の説明】
【００３１】
１    カメラ・マイク
２    記憶部
３    接触センサー
４    タイマー機能付きＳＷ基盤
【図１】
2006088879.tif 000003
【図２】
2006088879.tif 000004